(57)【特許請求の範囲】
【請求項１】
濾過用袋体と、上下が開口するように前後両面の左右両端が相互に連結された状態で前記濾過用袋体が内部に固定される折畳み可能な支持用紙体とからなるドリッパーにおいて、
前記支持用紙体は、前後両面に渡って左右両側に設けた一対の押し込み部と、
左右両側縁に形成された山折り線からなる一対の折曲部とを備え、
前記押し込み部は、前記折曲部の上下を分断する上方切欠部及び下方切欠部と、前記折曲部と離隔して前記上方切欠部から前記下方切欠部まで延在する一対の山折り線とを有し、
前記上方切欠部は、下方直線部分と上方略円弧部分で構成される略三日月状に形成され、前記下方切欠部は、上方直線部分と下方略円弧部分で構成される略三日月状に形成され、
前記押し込み部は、前記上方切欠部の下方直線部分と、前記下方切欠部の上方直線部分とにより上下が規定される帯状であり、
前記押し込み部の左右を規定する前記一対の山折り線は、前記折曲部を対称軸として対称となる外側に膨らむ円弧状であり、
前記一対の山折り線の上方延長線上に前記上方切欠部の前記上方略円弧部分が形成され、前記一対の山折り線の下方延長線上に前記下方切欠部の前記下方略円弧部分が形成されていることを特徴とする、ドリッパー。
【請求項２】
前記一対の折曲部は、前記支持用紙体の左右両側縁を逆ハの字状になすことを特徴とする、請求項１に記載のドリッパー。
【発明の詳細な説明】
【技術分野】
【０００１】
本発明は、飲料を抽出するためにカップ等の容器に載置されるドリッパーに関する。
【背景技術】
【０００２】
従来から、コーヒー等の飲料を簡便に抽出するものとして、濾過用の袋体を厚手の紙体に固定して支持する使い捨てのドリッパーが利用されている。例えば、特許文献１では、展開した矩形状支持体の蓋部を除去してから濾過袋を開封し、矩形状支持体の左右両側の一定領域を折り曲げて支持脚片とした状態でカップ等の容器に載置するコーヒー用の濾過器が開示されている。また、特許文献２及び３では、ドリッパーの前後両面の上縁中央をそれぞれ指で掴んで外側に引っ張って袋体を開封し、紙体の左右両側にある保形部分を変形して紙体を拡開させることで、袋体を開口状態にすることができるドリッパーが開示されている。
【先行技術文献】
【特許文献】
【０００３】
【特許文献１】特公昭６３−５２８８８号公報
【特許文献２】特開２００８−２４５８９４号公報
【特許文献３】特開２０１０−９９４６２号公報
【発明の概要】
【発明が解決しようとする課題】
【０００４】
しかしながら、上記特許文献１の濾過器では、容器に載置する前に、支持体の展開、蓋部の除去、濾過袋の開封、支持脚の形成という複数の手順を経ることが必要なため、組立てが簡便でないという問題がある。一方、上記特許文献２のドリッパーでは、簡易に組み立てることが実現されているものの、紙体の変形が小さく前後方向へ大きく膨出することがないため、袋体が十分に開口せず、熱湯の注ぎ入れが困難であるという問題がある。また、上記特許文献２のドリッパーを容器へ載置する時、容器のサイズによっては、係合フラップを容器の上縁部分に適切に沿わせることができず、載置状態時にドリッパーが容器の上で動いてしまうという可能性がある。さらに、上記特許文献３のドリッパーでは、紙体が大きく拡開するように構成されているが、使用する容器のサイズが小さいものであると、差込部分全体が容器の内側に押さえつけられた状態で当接するため、容器に対する大きな反発力が当該差込部分に働いて、ドリッパーが容器から飛び出してしまうおそれがある。
【０００５】
そこで、本発明は、熱湯の注ぎ入れに十分な開口を形成するとともに、容器の大きさが異なっても、抽出時の安全性を確保することができる組立て容易なドリッパーを提供することを課題とする。
【課題を解決するための手段】
【０００６】
かかる課題を解決するための手段として、本発明は、濾過用袋体と、上下が開口するように前後両面の左右両端が相互に連結された状態で前記濾過用袋体が内部に固定される折畳み可能な支持用紙体とからなるドリッパーにおいて、
前記支持用紙体は、前後両面に渡って左右両側に設けた一対の押し込み部と、
左右両側縁に形成された山折り線からなる一対の折曲部とを備え、
前記押し込み部は、前記折曲部の上下を分断する上方切欠部及び下方切欠部と、前記折曲部と離隔して前記上方切欠部から前記下方切欠部まで延在する一対の山折り線とを有し、
前記上方切欠部は、下方直線部分と上方略円弧部分で構成される略三日月状に形成され、前記下方切欠部は、上方直線部分と下方略円弧部分で構成される略三日月状に形成され、
前記押し込み部は、前記上方切欠部の下方直線部分と、前記下方切欠部の上方直線部分とにより上下が規定される帯状であり、
前記押し込み部の左右を規定する前記一対の山折り線は、前記折曲部を対称軸として対称となる外側に膨らむ円弧状であり、
前記一対の山折り線の上方延長線上に前記上方切欠部の前記上方略円弧部分が形成され、前記一対の山折り線の下方延長線上に前記下方切欠部の前記下方略円弧部分が形成されている。
【０００７】
前記一対の折曲部は、前記支持用紙体の左右両側縁を逆ハの字状になすのが好ましい。
【発明の効果】
【０００８】
本発明によれば、使用の際の組立てが容易なだけでなく、上部領域が大きく変形して濾過用袋体を十分に開口させ、熱湯の注ぎ入れを容易にすることができる。また、容器に対して差込部分が大きく反発してドリッパーが容器から飛び出すようなことがなく、抽出時において、ドリッパーの安全な使用を実現することもできる。
【図面の簡単な説明】
【０００９】
【図１】（ａ）は、本発明の実施形態に係るドリッパーの正面図であり、（ｂ）は、その背面図である。
【図２】図１のドリッパーを構成する濾過用袋体の展開図である。
【図３】図１のドリッパーを構成する濾過用袋体の正面図である。
【図４】図３に示す濾過用袋体のＩＶ−ＩＶ線断面図である。
【図５】図１のドリッパーを構成する支持用紙体の展開図である。
【図６】図１のドリッパーを容器に載置した状態の斜視図である。
【発明を実施するための形態】
【００１０】
以下、本発明に係るドリッパーについて、添付の図面を参照しながら説明することとする。
【００１１】
図１は、本発明の実施形態に係るドリッパー１を示している。ドリッパー１は、図１に示すように、濾過用袋体２と、支持用紙体３とからなり、図６に示すように、カップ１９等に載置されるものである。
【００１２】
図２〜図４は、本実施形態に使用される濾過用袋体２を示している。濾過用袋体２は、図１に示すように、支持用紙体３の内側に差し込まれた状態で支持用紙体３に固定され、コーヒー粉末等の内容物（不図示）を収納及び封入するとともに、飲料を抽出・濾過するものである。濾過用袋体２に使用される素材としては、濾過機能を果たすものであれば特に限定されるものではないが、加工のしやすさ等を考慮すれば、熱接着性のあるものが好ましく、例えば、最内層に変性ポリプロピレンを含有した三層構造の濾紙が挙げられる。濾過用袋体２は、例えば、図２に示すように、濾過用袋体２の上縁を構成する長辺側の弧状縁部の中央が突出した対称形状の一対の台形状領域４，４’と、該一対の台形状領域４，４’を短辺側で連結する横長な六角形状領域５とに区画された形状で断裁、打ち抜き等される。
【００１３】
濾過用袋体２は、左右シール部６ａ，６ｂと、封止シール部７と、一対の固定用突片８，８’とを有する。左右シール部６ａ，６ｂは、六角形状領域５でＷ折り（ガゼット折り）にすることで対向する一対の台形状領域４，４’の左右両端の内面同士を接着して、濾過用袋体２を袋状に構成する。封止シール部７は、弧状縁部より下方の所定位置で一対の台形状領域の内面同士を接着し、内容物を濾過用袋体２の内部に封入する。一対の固定用突片８，８’は、濾過用袋体２の前後両面の上縁中央より突出する。一対の固定用突片８，８’は、後述の支持用紙体３の前後両面の上縁にそれぞれ当接させてから折り返され、前後両面の外面側に貼着される。
【００１４】
図５は、本実施形態に使用される支持用紙体３の展開状態を示している。支持用紙体３は、図６に示すように、カップ１９等に載置された時、濾過用袋体２を支持する。支持用紙体３に使用される素材としては、容器に載置された状態で濾過用袋体２を支持するのに十分な剛性を有するものであれば特に限定されるものではないが、熱湯や湯気に対する耐性を考慮すれば、濾過用袋体２と当接する内面又は両面にポリエチレン等の樹脂を塗布した厚紙が使用されるのが好ましい。支持用紙体３に使用される厚紙は、図５に示すように、略台形状の前面領域９と、前面領域９の一方の側端に連結され、後面右側を除く領域を形成する後面主領域９’と、前面領域９の他方の側端に連結され、後面右側領域を形成する後面右側領域１０とに区画された形状で断裁、打ち抜き等される。前記厚紙は、後面主領域９’の上に後面右側領域１０を重ね合わせて接着され、支持用紙体３を構成する。
【００１５】
支持用紙体３は、前後両面が略台形状に構成され、一対の押し込み部１１ａ，１１ｂと、一対の折曲部１２ａ，１２ｂとを備える。
【００１６】
一対の押し込み部１１ａ，１１ｂは、支持用紙体３の前後両面に渡って左右両側に設けられ、上方切欠部１３ａ，１３ｂ及び下方切欠部１４ａ，１４ｂと、一対の山折り線１５ａ及び１５ａ’，１５ｂ及び１５ｂ’とを有する。上方切欠部１３ａ，１３ｂは、略三日月状に構成され、直線部分を下向きにして押し込み部１１ａ，１１ｂの上端に設けられる。一方、下方切欠部１４ａ，１４ｂは、略三日月状に構成され、直線部分を上向きにして押し込み部１１ａ，１１ｂの下端に設けられる。上方切欠部１３ａ，１３ｂ及び下方切欠部１４ａ，１４ｂは、それぞれ、折曲部１２ａ，１２ｂの上下を分断する。山折り線の一方１５ａ，１５ｂは、それぞれ、折曲部１２ａ，１２ｂと離隔して上方切欠部１３ａ，１３ｂの前面側の端部から下方切欠部１４ａ，１４ｂの前面側の端部まで延在し、山折り線の他方１５ａ’，１５ｂ’は、それぞれ、折曲部１２ａ，１２ｂと離隔して上方切欠部１３ａ，１３ｂの後面側の端部から下方切欠部１４ａ，１４ｂの後面側の端部まで延在する。なお、一対の山折り線１５ａ及び１５ａ’，１５ｂ及び１５ｂ’は、押し込み易さを考慮すると、図１に示すように、折曲部１２ａ，１２ｂを対称軸として対称となる円弧状構成であることが好ましいが、このような形状に限定されるものでなく、例えば、くの字状に構成されていてもよい。
【００１７】
一対の折曲部１２ａ，１２ｂは、前記厚紙の前面領域９と後面主領域９’の境界を折曲する山折り線と、前面領域９と後面右側領域１０の境界を折曲する山折り線とからなり、使用前において、ドリッパー１を平坦状に構成する。一対の折曲部１２ａ，１２ｂは、支持用紙体３の左右両側縁を逆ハの字状になす。
【００１８】
さらに、支持用紙体３は、確認用窓部１６，１６’と、差込用突片１７，１７’と、当接用突片１８ａ，１８ｂとを有する。
【００１９】
確認用窓部１６，１６’は、支持用紙体の前後両面の中央上側に形成される。差込用突片１７，１７’は、略半円状に構成され、支持用紙体３の前後両面の下端中央に設けられ、下方へ突出する。当接用突片１８ａ，１８ｂは、略矩形状に構成され、支持用紙体３の前後両面に渡って下端の左右両側に設けられ、折曲部１２ａ，１２ｂに沿うように下方へ突出する。
【００２０】
次に、本実施形態に係るドリッパー１の使用方法とその作用について説明することとする。
【００２１】
まず、ドリッパー１の前後両面の上縁中央をそれぞれ指で掴んで外側に引っ張り、封止シール部７を剥離して、濾過用袋体２を開封する。次に、片手又は両手の指を使って、一対の押し込む部１１ａ，１１ｂを同時に押し込んで、ドリッパー１の前後両面を前後方向に展開させる。
【００２２】
押し込む部１１ａ，１１ｂの展開に伴って、押し込む部１１ａ，１１ｂを除く領域が膨出して、支持用紙体３が上方に向かうに従って徐々に開口領域が広くなるように変形する。このように変形した支持用紙体３は、濾過用袋体２を大きく開口させ、その状態を維持し、ドリッパー１の組立てが完了する。このように、使用者は、比較的簡易な手順でドリッパー１の組立作業を完了することが可能である。
【００２３】
押し込む部１１ａ，１１ｂとそれ以外の領域は、上方切欠部１３ａ，１３ｂ及び下方切欠部１４ａ，１４ｂによって部分的に分断されているため、ドリッパー１は一旦変形すると、支持用紙体３の前後両面を同時に内側へ押したとしても、その力が押し込む部１１ａ，１１ｂに伝達することはなく、変形状態を偶発的に解除するようなことがない。
【００２４】
上述した組立てが完了すれば、図６に示すように、差込用突片１７，１７’を差し込んで、ドリッパー１をカップ１９上に載置する。この時、支持用紙体３は、上方に向かうに従って徐々に開口領域が広くなるように変形しているので、差込用突片１７，１７’がカップ１９の内側に部分的に当接する。このため、カップ１９に対して差込用突片１７，１７’が大きく反発してドリッパー１をカップ１９から飛び出させるようなことがなく、抽出時において、ドリッパー１の安全な使用を実現することが可能である。
【００２５】
カップ１９への載置が完了すれば、開口した濾過用袋体２へ所望量の熱湯を注ぎ、抽出液をカップ１９内へ流下させることで適量のコーヒーを生成する。この時、上方から観察しなくても、確認用窓部１６，１６’から注ぎ入れた湯量を確認することができる。熱湯の注ぎ入れに際しては、濾過用袋体２は大きく開口しているため、熱湯を容易に注ぎ入れることが可能である。
【符号の説明】
【００２６】
１  ドリッパー
２  濾過用袋体
３  支持用紙体
４，４’  台形状領域
５  六角形状領域
６ａ，６ｂ  左右シール部
７  封止シール部
８，８’  固定用突片
９  前面領域
９’  後面主領域
１０  後面右側領域
１１ａ，１１ｂ  押し込み部
１２ａ，１２ｂ  折曲部
１３ａ，１３ｂ  上方切欠部
１４ａ，１４ｂ  下方切欠部
１５ａ，１５ａ’，１５ｂ，１５ｂ’  山折り線
１６，１６’  差込用突片
１７ａ，１７ｂ  当接用突片
１８，１８’  確認用窓部
１９  カップ
【図１】
0005776272.tif 000002
【図２】
0005776272.tif 000003
【図３】
0005776272.tif 000004
【図４】
0005776272.tif 000005
【図５】
0005776272.tif 000006
【図６】
0005776272.tif 000007